(57)【特許請求の範囲】
【請求項１】
支柱に設けられたアームの上に板部材を介して載置された状態で該支柱に固定された物体を移動させることなく、該板部材を移動させる移動支援装置であって、
長棒状のボルトと、
前記ボルトの一端を前記支柱に固定する固定手段と、
前記板部材と当接する当接面を有すると共に前記ボルトをスライド自在に挿通された面板部材と、
前記面板部材と前記固定手段との間に介在し、前記ボルトと螺合するナットとを備え、
前記ナットと前記面板部材とが接触する状態で該ナットを回転させて該面板部材が移動させることにより生ずる、前記固定手段によって前記支柱に固定された前記ボルトの一端と前記面板部材の当接面との間に作用する力により、前記板部材を移動させることを特徴とする移動支援装置。
【請求項２】
前記ボルトには、筒状のガイド部材が挿通され、このガイド部材には前記面板部材が取り付けられていることを特徴とする請求項１に記載の移動支援装置。
【請求項３】
前記固定手段と反対側の前記ボルトの他端には、前記ガイド部材の落下を防止するための固定具が設けられていることを特徴とする請求項１に記載の移動支援装置。
【請求項４】
コードの両端に固定用フックを有する連結フックを更に有し、
一方の固定用フックを支柱側に取り付け、他方の固定用フックを前記移動支援装置本体側に取り付けることを特徴とする請求項１〜３の何れかに記載の移動支援装置。
【請求項５】
前記固定手段は、
対向する第一面板部と第二面板部と、
これらの面板部の向かい合う一方の端部同士を連結する第三面板部であって、前記ボルトの一端が取り付けられた第三面板部とを有し、
前記第一面板部と前記第二面板部の他方の端部には、前記第三面板部に向かって切り欠かれた切り欠き部が設けられていることを特徴とする請求項１〜４の何れかに記載の移動支援装置。
【請求項６】
前記固定手段は、前記切り欠き部の開口端が前記ボルトとは反対を向く状態と、前記切り欠き部の開口端が前記ボルト側を向く状態の何れかの状態で前記ボルトの一端に設けられることを特徴とする請求項５に記載の移動支援装置。
【発明の詳細な説明】
【技術分野】
【０００１】
本発明は、支柱に取り付けられた物体の下に敷設された台材を移動させる技術に関する。
【背景技術】
【０００２】
支柱に取り付けられた物体として、例えば、電柱に取り付けられた変圧器を挙げることができる。図１に示すように、一般に、電柱２の側部には変圧器６が取り付けられている。変圧器６を取り付けるための構造の多くは、電柱２の側面を両側から挟み、電柱２に対して垂直に配された一対のアーム４ａ，４ｂと、一端が電柱に固定され、他端がアーム４ａ，４ｂをそれぞれ支持する支持部材３ａ，３ｂと、一対のアーム４ａ，４ｂの上に載置された板部材５とから構成されている。変圧器６は木製の板部材５の上に載置され、さらに変圧器６と電柱２とはバンドＢにより固定されている。
【０００３】
当然のことながら、変圧器６は電柱２に固定されているため、屋外の環境に置かれる場合がほとんどである。そのため、雨や雪等や塩害等により、変圧器６には錆が発生する。尚、以下の説明では、変圧器６に錆が発生しているか否かの点検のことを錆点検と称することとする。
【０００４】
錆は変圧器６の底面にも発生する。そのため、錆点検の際には、変圧器６の底面を確認する必要がある。
【０００５】
従来の錆点検の方法には主に二つある。一つ目の方法は、高所作業車ウインチにより、変圧器６を吊り揚げて、下方から変圧器６の底を確認する方法である。別の方法としては、トランスホイストを使用して車載ウインチにより吊り揚げ、前述した方法と同様に、下方から変圧器６の底を確認する方法である。
【０００６】
これらの方法により、変圧器６の底に錆が発生しているか否かを確認し、必要であれば変圧器６の交換作業を行う。
【発明の開示】
【発明が解決しようとする課題】
【０００７】
しかしながら、上記二つの方法を用いて変圧器の底を点検するためには、多分な時間，人員，コストを要する。
【０００８】
なぜなら、高所作業車でウインチによって変圧器を吊り揚げる方法では、変圧器を停電させなければならない。変圧器を停止すると、当然、その変圧器から電力が供給されている一般家庭，会社，工場等への電力の供給が絶たれてしまう。
【０００９】
そのため、変圧器底面の錆の点検や変圧器の交換の作業を行うには停電が必要となる。そして、それに伴い作業日の前から停電の連絡を顧客に行わなければならないため、作業全体では多くの時間及び手間を要してしまう。
【００１０】
また、トランスホイストを使用して車載ウインチによって変圧器を吊り揚げる方法では、点検作業に要する作業員は複数人（作業を監視する人員を含めて）必要となり、作業内容に対する人員及びコストは少なくはない。
【００１１】
そこで、本発明は、支柱に固定され、且つ台の上に載置された物体を移動させることな
く、台のみを円滑に移動させることができる移動支援装置を提供することを課題とする。
【００１２】
また、本発明は、電柱に固定された変圧器等の装置の点検作業や補修作業の作業性を向上させ、且つ作業の安全性を高める移動支援装置を提供することを課題とする。
【課題を解決するための手段】
【００１３】
本発明は上記事項に鑑みてなされたものであり、すなわち本発明は、板部材の上に載置された状態で支柱に固定された物体を移動させる移動支援装置であって、長棒状のボルトと、そのボルトの一端に設けられ、前記移動支援装置を固定する固定手段と、板部材と当接する当接面を有すると共にボルトをスライド自在に挿通された面板部材と、面板部材と固定手段との間に介在し、ボルトと螺合するナットとを備えていることを特徴とする。
【００１４】
この移動支援装置は、電柱に固定された変圧器の底面に発生する錆の点検に好適に用いることができる。変圧器の底面から錆が発生した場合、錆が発生しているか否かを点検するためには、変圧器を載置している板部材を底面が見える位置までスライドさせる必要がある。
【００１５】
そこで、本発明の移動支援装置の固定手段を電柱側に固定し、面板部材を板部材に当接させる。この状態で、ナットをラチェットレンチ等の工具を用いて回転させると、ナットと面板部材とが接触し、この面板部材が移動することにより面板部材の当接面から外部に対して力が作用する。つまり、ナットを回転させることによりナットと面板部材が接触する。すると、ナットの回転に伴い面板部材が板部材に当接し、この板部材をも移動させることができる。変圧器は、通常、電柱にバンド等により固定されているため、本発明の移動支援装置を用いることで、変圧器を移動させることなく板部材のみをスライドさせ、変圧器の底面を露出させることができる。
【００１６】
これにより、大型のウインチを用いた大々的な作業を行うことなく、容易な作業で変圧器の底面の錆点検を行うことができる。
【００１７】
また、変圧器を移動させることがないため、変圧器の錆点検を行う際に、電力の供給を停止することがなくなる。これにより、錆点検による停電を避けることができる。それに伴い、錆点検及び停電のお知らせ等に要する人員，時間，コストを削減することができる。
【００１８】
また、本発明の移動支援装置は、ナットをラチェットレンチ等の工具を用いて回転させ、板部材をスライドさせればよいため、変圧器の下からナットを回転させることができ、作業員は充電部に接近することなく安全に点検作業を行うことができる。
【００１９】
さらに、本発明に係るボルトには、筒状のガイド部材が挿通され、このガイド部材には面板部材が取り付けられている構成とすると好ましい。つまり、ガイド部材は、その内部にボルトを挿通し、面板部材とともに、ボルトに沿って移動することができる。
【００２０】
そのため、本発明に係る固定手段と反対側のボルトの他端には、ガイド部材の落下を防止するための固定具が設けられている構成とすると好ましい。
【００２１】
この固定具は、ボルトと螺合する固定用のナットとすると好ましい。これにより、ガイド部材及び面板部材が不用意に移動し、ボルトの端部から落下してしまうことを防止することができる。
【００２２】
さらに、本発明の移動支援装置は、移動支援装置本体と支柱側の部材とを連結する連結
フックをさらに有する構成とすると好ましい。連結フックは、移動支援装置が使用中に落下・脱落してしまうことを防止できればよいため、移動支援装置と、足場等を繋ぐようなものであればよい。例えば、両端にフックが設けられた鎖のようなものでもよいし、伸縮性のある螺旋状に巻かれたコードの両端にフックが設けられたものとすることができる。
【００２３】
また、本発明に係る固定手段は、対向する第一面板部と第二面板部と、これらの面板部の向かい合う一方の端部同士を連結する第三面板部とを有し、第一面板部と第二面板部の他方の端部には、第三面板部に向かって切り欠かれた切り欠き部が設けられた構成としてもよい。
【００２４】
つまり、本発明に係る固定手段は、対向する第一面板部と第二面板部の端部を第三面板部により繋ぎ、全体がコの字型をなしている。第一面板部と第二面板部とのそれぞれに設けられた切り欠き部は、固定手段を連結ボルトに固定する際に、それらの最深部と連結ボルトが当接する。
【００２５】
この切り欠き部があることにより、連結ボルトに固定手段を固定することができる。
【００２６】
また、本発明に係る固定手段は、切り欠き部の開口端がボルトとは反対を向く状態と、切り欠き部の開口端がボルト側を向く状態の何れかの状態でボルトの一端に設けられることを選択可能に取り付けることができる。
【００２７】
これにより、本発明の移動支援装置を装着するスペースの大きさに合わせて、又は用途にあわせて、固定手段を汎用的に利用することが可能となる。
【発明の効果】
【００２８】
以上説明したように、本発明によれば、支柱に固定され、且つ台の上に載置された物体を移動させることなく、台のみを円滑に移動させることができる移動支援装置を提供することができる。
【００２９】
また、本発明は、電柱に固定された変圧器等の装置の点検作業や補修作業の作業性を向上させ、且つ作業の安全性を高める移動支援装置を提供することができる。
【発明を実施するための最良の形態】
【００３０】
以下、本実施形態における移動支援装置について図面を参照し詳説する。尚、本実施形態では、移動支援装置を、電柱に取り付けられた変圧器の底に発生する錆点検を行う際の点検支援を行う装置として説明するが、本発明の移動支援装置の用途はこれに限られることはない。
【００３１】
本実施形態の移動支援装置は、図１に示すように、電柱２を両側から挟み電柱２に対してほぼ垂直になるように支持部材３ａ，３ｂにより支持された一対のアーム４ａ，４ｂ上に板部材５を介して載置された変圧器６の点検作業又は補修（交換）作業を支援する装置である。
【００３２】
図２に示すように、移動支援装置１は、図１に示す一対のアーム４ａ，４ｂの間に介在し、電柱（支柱）２側で両アーム４ａ，４ｂを連結する第一連結ボルト７ａや第二連結ボルト７ｂに固定する固定部（固定手段）８と、一端に固定部８を有するスライドボルト（ボルト）９と、固定部８側のスライドボルト９を内部に挿通した筒状のガイド部材１０と、このガイド部材１０の端部から立設した面板部材１１と、面板部材１１と固定部８の間のスライドボルト９に螺合したナット１２とを備えている。尚、第一連結ボルト７ａは両アーム４ａ，４ｂの先端側を連結し、基端側（電柱側）の両アーム４ａ，４ｂは第二連結
ボルト７ｂにより連結されているものとする。
【００３３】
ガイド部材１０は、スライドボルト９を内部に挿通可能な筒状の部材である。そして、このガイド部材１０の一端には、ガイド部材１０の外周面と当接する穴の空いた第一面板部１１ａと、第一面板部１１ａの上端に、第一面板部１１ａと面一となるように接続された第二面板部１１ｂとからなる面板部材１１が取り付けられている。
【００３４】
また、本実施形態に係るナット１２は右方向に回転させると、ナット１２がスライドボルト９の他端側（ガイド部材１０及び面板部材１１を押方向）に移動する。そのため、スライドボルト９の他端には、ガイド部材１０（面板部材１１も含む）がスライドボルト９から脱落してしまうことを防止するための固定用ナット（固定具）１３が螺合されている。尚、ナット１２は、図５に示すラチェットレンチＡを用いて回転させると好ましい。
【００３５】
また、固定部８は、対向する第一面板部８ａと第二面板部８ｂと、これらの面板部８ａ，８ｂの向かい合う一方の端部を連結する第三面板部８ｃとから構成されている。
【００３６】
加えて、第一面板部８ａと第二面板部８ｂの他方の端部には、第三面板部８ｃに向かって切りかかれた切り欠き部１４ａ，１４ｂが設けられている。つまり、固定部８は、第一連結ボルト７ａあるいは第二連結ボルト７ｂに向かう第一面板部８ａ及び第二面板部８ｂと、それらを一端で連結する第三面板部８ｃとによりコの字型に形成されている。尚、この固定部８の第三面板部８ｃの外側にスライドボルト９が取り付けられている。
【００３７】
また、切り欠き部１４ａ，１４ｂの切り欠きの最深部は半円状に形成されている。これは、第一連結ボルト７ａや第二連結ボルト７ｂは丸棒に形成されていることが多いため、固定部８を第一連結ボルト７ａに固定するとき、第一面板部８ａと第二面板部８ｂに設けられた切り欠き部１４ａ，１４ｂの最深部と第一連結ボルト７ａとがフィットし易くするためである。
【００３８】
また、本実施形態の移動支援装置１は、高所に設置された変圧器の点検時において移動支援装置１の落下を防止するための落下防止フック（連結フック）１５をさらに有している（図３参照）。落下防止フック１５は、螺旋状のコードの両端に金属製のフックが設けられている。一方のフックは移動支援装置１に取り付け、他方のフックは足場等に取り付ける。
以上が本実施形態の移動支援装置１の構成である。
【００３９】
次に、本実施形態の移動支援装置１を用いた変圧器の錆点検工程について説明する。図３は、本実施形態の移動支援装置を用いた点検工程を示す図であり、図４は、本実施形態の移動支援装置を点検位置にセットした状態を示した図であり、図５は、ラチェットレンチにてナットを回転させている状態を示す図であり、図６は本実施形態の移動支援装置により板部材が移動した状態を示す図である。
まず、図３に示すように、落下防止フック１５を取り付ける。落下防止フック１５の一方のフックを足場等に取り付ける（手順１）。
【００４０】
次に、固定部８を第二連結ボルト７ｂに固定する（手順２）。つまり、第一面板部８ａに設けられた切り欠き部１４ａの最深部と第二面板部８ｂに設けられた切り欠き部１４ｂの最深部とに第二連結ボルト７ｂを配する。尚、固定部８を第二連結ボルト７ｂに固定したところに落下防止フック１５の一方のフックを巻き付け、点検時における移動支援装置１の落下を防止する。
【００４１】
次に、スライドボルト９の固定用ナット１３側の端部を第一連結ボルト７ａの上部に載
せる（手順３）。つまり、スライドボルト９に設けられた固定部８は、第二連結ボルト７ｂに固定され、図４に示すように、固定用ナット１３側のスライドボルト９の端部は、第一連結ボルト７ａに載置されることにより、移動支援装置１は点検作業位置に設置されたことになる。
【００４２】
移動支援装置１のセットが完了した後、板部材５を移動させるために、ナット１２をラチェットレンチＡにて回転させる（図３（手順４）参照）。この場合、ラチェットレンチＡによりナット１２を回転させると、ナット１２は、スライドボルト９の先端方向（つまり、固定用ナット１３側）（図５中矢印Ｘ方向）に移動する。ナット１２の移動に伴い、面板部材１１は板部材５に当接し、さらにガイド部材１０にガイドされてスライドボルト９の先端方向に移動する。
【００４３】
そして、図６に示すように、面板部材１１が板部材５に当接することにより、ナット１２の移動による面板部材１１の移動に伴って板部材５も徐々にスライドボルト９の先端方向（図５中Ｘ方向、図６中Ｙ方向）に押し出されていく（図３（手順５）参照）。
【００４４】
板部材５をスライドボルト９の先端方向にスライドさせることにより、変圧器６の底面が露出する。そこで、変圧器６底面の錆の発生状態を点検する（図３（手順６）参照）。
【００４５】
尚、点検が終了し、板部材５を元の位置に戻すには、固定部８を第一連結ボルト７ａに固定し、スライドボルト９を第二連結ボルト７ｂに載せる。そして、面板部材１１と突出した板部材５とが当接した状態にして、上記同様にナット１２をラチェットレンチＡにより回転させる。すると、ナット１２は、スライドボルト９の先端方向（つまり、第二連結ボルト７ｂ側）に移動する。これに伴い、面板部材１１も移動するため、板部材５を元の位置までスライドさせることができる。尚、第一連結ボルト７ａや第二連結ボルト７ｂが適当な位置にない場合には、固定部８を固定するための連結ボルトを新たに設置することで対応できる。
【００４６】
以上のように、本実施形態の移動支援装置１を用いることにより、変圧器６の下に敷設されている板部材５のみをスライドさせ、変圧器６の底面の錆点検を行うことができる。そのため、従来のように、変圧器自体をウインチで吊り揚げるという大がかりな作業を行わず、変圧器６自体を全く動かすことなく変圧器６の錆点検を行うことができる。
【００４７】
これにより、変圧器６の錆点検に要する人員，コスト，作業時間を大幅に削減することができる。さらには、錆点検の安全性も向上させることができる。
【００４８】
また、本実施形態の移動支援装置１を用いることにより、点検時に停電する必要がなくなり、変圧器の錆点検時においても、一般の家庭，会社，工場などへの電力は供給を持続することができる。これにより、停電のお知らせを行うといった冗長な作業を省略することができる。尚、これに伴い、人員、コストの削減にも繋がる。
【００４９】
（その他の実施態様）
その他の実施態様として、本実施形態の移動支援装置１は、図７に示すように、固定部８の向きを変えて使用することもできる。本実施態様の移動支援装置１は、電柱２と変圧器６との間に移動支援装置１を取り付けるスペースが無い場合に好適に用いることができる。
【００５０】
本実施態様の移動支援装置１は、固定部８の第一面板部８ａと第二面板部８ｂとがスライドボルト９の他端方向（固定用ナット１３が取り付けられている方向）を向くように取り付けられることを特徴とする。
【００５１】
さらに、ナット１２，ガイド部材，面板部材１１も、上述した本実施形態の場合とは逆向きに設けられている。つまり、スライドボルト９に取り付けられた固定用ナット１３側から、ナット１２、面板部材１１、ガイド部材１０という順に取り付けられている。
【００５２】
そして、ナット１２をラチェットレンチＡにより回転させると、面板部材１１及びガイド部材１０は、固定部８の方に移動する。面板部材１１の移動に伴い、変圧器６を載置した板部材５も固定部８側（つまり電柱２側）に移動する。
【００５３】
このようにして、板部材５を移動させ、変圧器６の底面が露出した時点で、変圧器６の底面の錆点検を行う。
【図面の簡単な説明】
【００５４】
【図１】一般的な変圧器の載置状態を示す図である。
【図２】本実施形態の移動支援装置を示す斜視図である。
【図３】本実施形態の移動支援装置を用いた点検工程を示す図である。
【図４】本実施形態の移動支援装置をセットした状態を示す図である。
【図５】ラチェットレンチにてナットを回転させている状態を示す図である。
【図６】本実施形態の移動支援装置により板部材が移動した状態を示す図である。
【図７】その他の実施態様における移動支援装置の使用状態を示す図である。
【符号の説明】
【００５５】
１  移動支援装置
２  電柱（支柱）
３ａ，３ｂ  支持部材
４ａ，４ｂ  アーム
５  板部材
６  変圧器
７ａ  第一連結ボルト（連結ボルト）
７ｂ  第二連結ボルト（連結ボルト）
８  固定部（固定手段）
８ａ  第一面板部
８ｂ  第二面板部
８ｃ  第三面板部
９  スライドボルト
１０  ガイド部材
１１  面板部材
１１ａ  第一面板部
１１ｂ  第二面板部
１２  ナット
１３  固定用ナット（固定具）
１４ａ，１４ｂ  切り欠き部
１５  落下防止フック（連結フック）
Ａ  ラチェットレンチ
Ｂ  バンド
【図１】
0004529897.tif 000002
【図２】
0004529897.tif 000003
【図３】
0004529897.tif 000004
【図４】
0004529897.tif 000005
【図５】
0004529897.tif 000006
【図６】
0004529897.tif 000007
【図７】
0004529897.tif 000008